(57)【特許請求の範囲】
【請求項１】
光伝送路を介して複数の加入者側装置を接続するとともに、ＳＮＩ（Service Node Interface）を介して上位装置を接続し、これら加入者側装置と上位装置との間でやり取りするフレームを相互に転送処理する光伝送システムにおける局側装置であって、
前記光伝送路を介して前記加入者側装置からの上りフレームを受信する受信回路と、
予め設定された下り伝送速度で前記加入者側装置への下りフレームを送信する伝送系統ごとに設けられて、当該伝送系統で送信する前記下りフレームを、前記光伝送路を介して当該下り伝送速度で送信する複数の送信回路と、
前記ＳＮＩを介して当該上位装置へ前記上りフレームを送信するとともに、当該ＳＮＩを介して当該上位装置からの前記下りフレームを受信する送受信回路と、
前記送受信回路で受信した前記下りフレームの宛先ＭＡＣアドレスをキーとして、そのＭＡＣアドレスに対応する前記加入者側装置の識別子情報と前記加入者側装置への下りフレームの出力先の系統を示す転送指示情報とをＭＡＣアドレス検索テーブルから取得して、当該識別子情報を当該下りフレームに付与した後、前記送信回路のうち当該転送指示情報と対応する下り伝送系統の送信回路へ転送するフレーム転送処理部と、
外部からの設定信号に応じて、前記下り伝送系統のうち、使用状態となる下り伝送系統に対応する各回路へ電源を供給し、未使用状態となる下り伝送系統に対応する各回路への電源供給を遮断する電源制御部とを備え、
前記フレーム転送処理部は、
前記ＭＡＣアドレス検索テーブルと、
前記上位装置からの下りフレームの宛先ＭＡＣアドレスをキーとして、そのＭＡＣアドレスに対応する識別子情報と転送指示情報とを前記ＭＡＣアドレス検索テーブルから読み出すＭＡＣアドレス検索部と、
前記ＭＡＣアドレス検索部によって読み出された識別子情報と転送指示情報とを前記上位装置からの下りフレームに書き込む情報書込部と、
前記下り伝送系統ごとに設けられて、当該下り伝送系統に対応する前記送信回路への下りフレームを一時的に保持する複数のバッファと、
前記情報書込部によって前記下りフレームに書き込まれた前記転送指示情報に従ってその転送指示情報が示す系統の前記バッファへ当該下りフレームを書き込むバッファ書き込み制御部と、
前記下り伝送系統ごとに設けられて、当該下り伝送系統に対応する前記バッファから前記下りフレームを読み出す複数のバッファ読み出し制御部と、
前記下り伝送系統ごとに設けられて、当該下り伝送系統に対応する前記バッファ読み出し制御部により読み出された前記下りフレームに付与されている前記識別子情報を確認し、当該識別子情報の書き換えが必要な場合に、当該識別子情報を所定の識別子情報に書き換える複数の識別子情報変換部とを有し、
前記フレーム転送処理部は、前記下り伝送系統ごとに設けられた前記バッファとして、前記下りフレームに割り当てられる優先度ごとに複数のバッファを有し、
前記電源制御部は、前記設定信号に応じて、前記下り伝送系統のうち、使用状態となる下り伝送系統に対応するすべての優先度の前記バッファ、前記バッファ読み出し制御部、および前記識別子情報変換部のすべてに電源を供給し、未使用状態となる下り伝送系統に対応するすべての優先度の前記バッファ、前記バッファ読み出し制御部、および前記識別子情報変換部のうちの一部またはすべてへの電源供給を遮断する
ことを特徴とする光伝送システムにおける局側装置。
【請求項２】
光伝送路を介して複数の加入者側装置を接続するとともに、ＳＮＩ（Service Node Interface）を介して上位装置を接続し、これら加入者側装置と上位装置との間でやり取りするフレームを相互に転送処理する光伝送システムにおける局側装置であって、
前記光伝送路を介して前記加入者側装置からの上りフレームを受信する受信回路と、
予め設定された下り伝送速度で前記加入者側装置への下りフレームを送信する伝送系統ごとに設けられて、当該伝送系統で送信する前記下りフレームを、前記光伝送路を介して当該下り伝送速度で送信する複数の送信回路と、
前記ＳＮＩを介して当該上位装置へ前記上りフレームを送信するとともに、当該ＳＮＩを介して当該上位装置からの前記下りフレームを受信する送受信回路と、
前記送受信回路で受信した前記下りフレームの宛先ＭＡＣアドレスをキーとして、そのＭＡＣアドレスに対応する前記加入者側装置の識別子情報と前記加入者側装置への下りフレームの出力先の系統を示す転送指示情報とをＭＡＣアドレス検索テーブルから取得して、当該識別子情報を当該下りフレームに付与した後、前記送信回路のうち当該転送指示情報と対応する下り伝送系統の送信回路へ転送するフレーム転送処理部と、
外部からの設定信号に応じて、前記下り伝送系統のうち、使用状態となる下り伝送系統に対応する各回路へ電源を供給し、未使用状態となる下り伝送系統に対応する各回路への電源供給を遮断する電源制御部とを備え、
前記フレーム転送処理部は、
前記ＭＡＣアドレス検索テーブルと、
前記上位装置からの下りフレームの宛先ＭＡＣアドレスをキーとして、そのＭＡＣアドレスに対応する識別子情報と転送指示情報とを前記ＭＡＣアドレス検索テーブルから読み出すＭＡＣアドレス検索部と、
前記ＭＡＣアドレス検索部によって読み出された識別子情報と転送指示情報とを前記上位装置からの下りフレームに書き込む情報書込部と、
前記下り伝送系統ごとに設けられて、当該下り伝送系統に対応する前記送信回路への下りフレームを一時的に保持する複数のバッファと、
前記情報書込部によって前記下りフレームに書き込まれた前記転送指示情報に従ってその転送指示情報が示す系統の前記バッファへ当該下りフレームを書き込むバッファ書き込み制御部と、
前記下り伝送系統ごとに設けられて、当該下り伝送系統に対応する前記バッファから前記下りフレームを読み出す複数のバッファ読み出し制御部と、
前記下り伝送系統ごとに設けられて、当該下り伝送系統に対応する前記バッファ読み出し制御部により読み出された前記下りフレームに付与されている前記識別子情報を確認し、当該識別子情報の書き換えが必要な場合に、当該識別子情報を所定の識別子情報に書き換える複数の識別子情報変換部とを有し、
前記電源制御部は、前記設定信号に応じて、前記下り伝送系統のうち、使用状態となる下り伝送系統に対応する前記バッファ、前記バッファ読み出し制御部、および前記識別子情報変換部のすべてに電源を供給し、未使用状態となる下り伝送系統に対応する前記バッファ、前記バッファ読み出し制御部、および前記識別子情報変換部のうちの一部またはすべてへの電源供給を遮断し、
前記バッファ書き込み制御部は、前記情報書込部によって前記下りフレームに書き込まれた前記転送指示情報が複数の下り伝送系統の送信回路への転送を示していた場合、複数の系統のバッファへ当該下りフレームを書き込む
ことを特徴とする光伝送システムにおける局側装置。
【請求項３】
請求項１または請求項２に記載の光伝送システムにおける局側装置において、
前記加入者側装置からの上りフレームに、当該フレームに書き込まれている前記識別子情報に予め対応付けられた下り出力速度情報を書き込む上り入力部をさらに備え、
前記フレーム転送処理部は、
前記受信回路で受信した上りフレームの送信元ＭＡＣアドレスが前記ＭＡＣアドレス検索テーブルに登録されているか否かを確認し、登録されていない場合、その上りフレームに書き込まれている下り出力速度情報を前記転送指示情報とし、この転送指示情報をそのフレームの送信元ＭＡＣアドレスと識別子情報とに対応付けて、前記ＭＡＣアドレス検索テーブルに登録するＭＡＣアドレス登録部を有することを特徴とする光伝送システムにおける局側装置。
【請求項４】
請求項１に記載の光伝送システムにおける局側装置において、
前記設定信号は、使用する下り伝送系統を示す伝送系統選択情報と、使用する優先度を示す優先度選択情報とを含み、
前記電源制御部は、前記設定信号内の前記伝送系統選択情報と優先度選択情報に基づいて、使用状態となる下り伝送系統のうち、前記すべての優先度のバッファに代えて、使用状態となる優先度のバッファへ電源を供給するとともに、未使用状態となる優先度のバッファへ電源供給を遮断する
ことを特徴とする光伝送システムにおける局側装置。
【請求項５】
光伝送路を介して複数の加入者側装置を接続するとともに、ＳＮＩ（Service Node Interface）を介して上位装置を接続し、これら加入者側装置と上位装置との間でやり取りするフレームを相互に転送処理する光伝送システムにおける局側装置で用いられるフレーム転送方法であって、
受信回路が、前記光伝送路を介して前記加入者側装置からの上りフレームを受信する受信ステップと、
複数の送信回路が、予め設定された下り伝送速度で前記加入者側装置への下りフレームを送信する伝送系統ごとに設けられて、当該伝送系統で送信する前記下りフレームを、前記光伝送路を介して当該下り伝送速度で送信する送信ステップと、
送受信回路が、前記ＳＮＩを介して当該上位装置へ前記上りフレームを送信するとともに、当該ＳＮＩを介して当該上位装置からの前記下りフレームを受信する送受信ステップと、
フレーム転送処理部が、前記送受信回路で受信した前記下りフレームの宛先ＭＡＣアドレスをキーとして、そのＭＡＣアドレスに対応する前記加入者側装置の識別子情報と前記加入者側装置への下りフレームの出力先の系統を示す転送指示情報とをＭＡＣアドレス検索テーブルから取得して、当該識別子情報を当該下りフレームに付与した後、前記送信回路のうち当該転送指示情報と対応する下り伝送系統の送信回路へ転送するフレーム転送処理ステップと、
電源制御部が、外部からの設定信号に応じて、前記下り伝送系統のうち、使用状態となる下り伝送系統に対応する各回路へ電源を供給し、未使用状態となる下り伝送系統に対応する各回路への電源供給を遮断する電源制御ステップとを備え、
前記フレーム転送処理部は、
前記ＭＡＣアドレス検索テーブルと、
前記上位装置からの下りフレームの宛先ＭＡＣアドレスをキーとして、そのＭＡＣアドレスに対応する識別子情報と転送指示情報とを前記ＭＡＣアドレス検索テーブルから読み出すＭＡＣアドレス検索部と、
前記ＭＡＣアドレス検索部によって読み出された識別子情報と転送指示情報とを前記上位装置からの下りフレームに書き込む情報書込部と、
前記下り伝送系統ごとに設けられて、当該下り伝送系統に対応する前記送信回路への下りフレームを一時的に保持する複数のバッファと、
前記情報書込部によって前記下りフレームに書き込まれた前記転送指示情報に従ってその転送指示情報が示す系統の前記バッファへ当該下りフレームを書き込むバッファ書き込み制御部と、
前記下り伝送系統ごとに設けられて、当該下り伝送系統に対応する前記バッファから前記下りフレームを読み出す複数のバッファ読み出し制御部と、
前記下り伝送系統ごとに設けられて、当該下り伝送系統に対応する前記バッファ読み出し制御部により読み出された前記下りフレームに付与されている前記識別子情報を確認し、当該識別子情報の書き換えが必要な場合に、当該識別子情報を所定の識別子情報に書き換える複数の識別子情報変換部とを有し、
前記フレーム転送処理部は、前記下り伝送系統ごとに設けられた前記バッファとして、前記下りフレームに割り当てられる優先度ごとに複数のバッファを有し、
前記電源制御ステップは、前記設定信号に応じて、前記下り伝送系統のうち、使用状態となる下り伝送系統に対応するすべての優先度の前記バッファ、前記バッファ読み出し制御部、および前記識別子情報変換部のすべてに電源を供給し、未使用状態となる下り伝送系統に対応するすべての優先度の前記バッファ、前記バッファ読み出し制御部、および前記識別子情報変換部のうちの一部またはすべてへの電源供給を遮断する
ことを特徴とするフレーム転送方法。
【請求項６】
光伝送路を介して複数の加入者側装置を接続するとともに、ＳＮＩ（Service Node Interface）を介して上位装置を接続し、これら加入者側装置と上位装置との間でやり取りするフレームを相互に転送処理する光伝送システムにおける局側装置で用いられるフレーム転送方法であって、
受信回路が、前記光伝送路を介して前記加入者側装置からの上りフレームを受信する受信ステップと、
複数の送信回路が、予め設定された下り伝送速度で前記加入者側装置への下りフレームを送信する伝送系統ごとに設けられて、当該伝送系統で送信する前記下りフレームを、前記光伝送路を介して当該下り伝送速度で送信する送信ステップと、
送受信回路が、前記ＳＮＩを介して当該上位装置へ前記上りフレームを送信するとともに、当該ＳＮＩを介して当該上位装置からの前記下りフレームを受信する送受信ステップと、
フレーム転送処理部が、前記送受信回路で受信した前記下りフレームの宛先ＭＡＣアドレスをキーとして、そのＭＡＣアドレスに対応する前記加入者側装置の識別子情報と前記加入者側装置への下りフレームの出力先の系統を示す転送指示情報とをＭＡＣアドレス検索テーブルから取得して、当該識別子情報を当該下りフレームに付与した後、前記送信回路のうち当該転送指示情報と対応する下り伝送系統の送信回路へ転送するフレーム転送処理ステップと、
電源制御部が、外部からの設定信号に応じて、前記下り伝送系統のうち、使用状態となる下り伝送系統に対応する各回路へ電源を供給し、未使用状態となる下り伝送系統に対応する各回路への電源供給を遮断する電源制御ステップとを備え、
前記フレーム転送処理部は、
前記ＭＡＣアドレス検索テーブルと、
前記上位装置からの下りフレームの宛先ＭＡＣアドレスをキーとして、そのＭＡＣアドレスに対応する識別子情報と転送指示情報とを前記ＭＡＣアドレス検索テーブルから読み出すＭＡＣアドレス検索部と、
前記ＭＡＣアドレス検索部によって読み出された識別子情報と転送指示情報とを前記上位装置からの下りフレームに書き込む情報書込部と、
前記下り伝送系統ごとに設けられて、当該下り伝送系統に対応する前記送信回路への下りフレームを一時的に保持する複数のバッファと、
前記情報書込部によって前記下りフレームに書き込まれた前記転送指示情報に従ってその転送指示情報が示す系統の前記バッファへ当該下りフレームを書き込むバッファ書き込み制御部と、
前記下り伝送系統ごとに設けられて、当該下り伝送系統に対応する前記バッファから前記下りフレームを読み出す複数のバッファ読み出し制御部と、
前記下り伝送系統ごとに設けられて、当該下り伝送系統に対応する前記バッファ読み出し制御部により読み出された前記下りフレームに付与されている前記識別子情報を確認し、当該識別子情報の書き換えが必要な場合に、当該識別子情報を所定の識別子情報に書き換える複数の識別子情報変換部とを有し、
前記電源制御ステップは、前記設定信号に応じて、前記下り伝送系統のうち、使用状態となる下り伝送系統に対応する前記バッファ、前記バッファ読み出し制御部、および前記識別子情報変換部のすべてに電源を供給し、未使用状態となる下り伝送系統に対応する前記バッファ、前記バッファ読み出し制御部、および前記識別子情報変換部のうちの一部またはすべてへの電源供給を遮断し、
前記バッファ書き込み制御部は、前記情報書込部によって前記下りフレームに書き込まれた前記転送指示情報が複数の下り伝送系統の送信回路への転送を示していた場合、複数の系統のバッファへ当該下りフレームを書き込む
ことを特徴とするフレーム転送方法。
【発明の詳細な説明】
【技術分野】
【０００１】
本発明は、フレーム転送技術に関し、特に光伝送システムで用いられる局側装置において、ＰＯＮシステムと事業者側ネットワーク（サービス網）の上位装置との間でやり取りされるフレームを転送するためのフレーム転送技術に関する。
【背景技術】
【０００２】
２００９年にＩＥＥＥ８０２．３ａｖにおいて１０Ｇ−ＥＰＯＮ（10 Gigabit Ethernet Passive Optical Network：Ethernetは登録商標）の標準化が完了した。１０Ｇ−ＥＰＯＮの特徴は、既に広く普及しているＧＥ−ＰＯＮ（Gigabit Ethernet Passive Optical Network：非特許文献１参照）の１０倍の高速伝送が可能なことである。さらに、既存のＧＥ−ＰＯＮと１０Ｇ−ＥＰＯＮを混在させて利用できるという特徴がある。
【０００３】
ＧＥ−ＰＯＮと１０Ｇ−ＥＰＯＮを混在させて利用する場合は、１Ｇ下り信号と１０Ｇ下り信号で異なる波長を使用するＷＤＭ技術を用い、１Ｇ下り信号間と１０Ｇ下り信号間のそれぞれにおいてＴＤＭ技術を用いる。上り信号においては、１Ｇ上り信号と１０Ｇ上り信号で同一の波長を使用し、１Ｇ上り信号と１０Ｇ上り信号をまとめてＴＤＭＡ技術を用いる。すなわち、１Ｇ下り信号、１０Ｇ下り信号、および、上り信号で異なる３種類の波長を用いる。
【０００４】
図１４は、従来のＧＥ−ＰＯＮ用のＯＬＴの要部を示すブロック図である（例えば、特許文献１など参照）。図１５は、従来のＧＥ−ＰＯＮ用のＯＬＴで用いられるフレーム転送処理部の要部を示すブロック図である。
【０００５】
従来のＧＥ−ＰＯＮ用のＯＬＴ５０では、フレーム転送処理部６０で、事業者ネットワークＮＷ側の上位装置（図示せず）からの下りフレームの宛先ＭＡＣアドレスにより、下りフレームの宛先ＯＮＵを決定する。このため、ＯＮＵからの上りフレームの送信元ＭＡＣアドレスを、フレーム転送処理部６０におけるＭＡＣアドレス登録部６１Ａ（図１５）が、送信元ＯＮＵのＬＬＩＤ（Logical Link ID）に括りつけてＭＡＣアドレス検索テーブル６１Ｂへ登録しておく。そして、上位装置からの下りフレームの宛先ＭＡＣアドレスが、ＭＡＣアドレス検索テーブル６１Ｂに登録済みであれば、ＭＡＣアドレス検索部６１Ｃで、そのＭＡＣアドレスに括りつけられたＬＬＩＤを宛先ＯＮＵと判断する機能が搭載されている。
【０００６】
図１４に示されたＯＬＴ５０において、第１の送受信回路５１は、ＰＯＮを介してＯＮＵとの間でフレームを送受信するための回路である。
第２の送受信回路５７は、事業者ネットワークとのインターフェースになる回路である。
【０００７】
フレーム分離部５２は、第１の送受信回路５１より入力されたフレームのうち、ＯＬＴ５０宛てのフレーム（ＰＯＮの制御に用いられる制御フレーム）を制御フレーム処理部５３へ送信するとともに、その他のフレームをフレーム転送処理部６０へ送信する処理部である。
【０００８】
フレーム多重部５５は、フレーム転送処理部６０からの下りフレームと制御フレーム処理部５３からの制御フレームを時分割的に多重し、第１の送受信回路５１に対して送信する処理部である。
フレーム転送処理部６０は、フレーム分離部５２と第２の送受信回路５７の双方から受信したフレームについて、それぞれ宛先ＭＡＣアドレスに基づき、フレームの転送処理を行う処理部である。
【０００９】
制御フレーム処理部５３は、各ＯＮＵにＬＬＩＤを自動的に割り当てるための発見処理（Discoveryプロセス）や上り信号（ＯＮＵからＯＬＴ宛ての信号）の調停といった、ＰＯＮの制御に関する処理や、各ＯＮＵのＬＬＩＤ等のＰＯＮ−ＩＦポート情報を帯域割当処理部５４へ転送する処理を行う処理部である。
【００１０】
帯域割当処理部５４は、制御フレーム処理部５３からの要求に従い、ＯＮＵへの帯域（送信開始時刻と送信データ量）を割り当てる処理や、制御フレーム処理部５３から転送されたＰＯＮ−ＩＦポート情報を管理する処理を行う処理部である。
【００１１】
また、図１５に示したフレーム転送処理部６０において、ＭＡＣアドレス登録部６１Ａは、ＯＮＵからの上りフレームの送信元ＭＡＣアドレスに基づいてＭＡＣアドレス検索テーブル６１Ｂを検索し、送信元ＭＡＣアドレスがＭＡＣアドレス検索テーブル６１Ｂに登録されていない場合は登録情報を設定し（新規登録）し、送信元ＭＡＣアドレスが既にＭＡＣアドレス検索テーブル６１Ｂに登録されている場合は登録情報を更新する（もしくは、更新しないようにしてもよい）。ＭＡＣアドレス検索テーブル６１Ｂには、各ＭＡＣアドレスに対応するＬＬＩＤ情報が登録されている。
【００１２】
ＭＡＣアドレス検索部６１Ｃは、上位装置からの下りフレームの宛先ＭＡＣアドレスに基づいて、ＭＡＣアドレス検索テーブル６１Ｂから、対応するＬＬＩＤを読み出して、下りフレームに付与するＬＬＩＤを決定する。
レイテンシ吸収部６１Ｄは、受信した下りフレームに遅延を付加して、ＭＡＣアドレス検索部６１ＣでのＬＬＩＤ決定処理によるレイテンシを吸収する。
【００１３】
出力合成部６１Ｅは、レイテンシ吸収部６１Ｄからの下りフレームのプリアンブルに、ＭＡＣアドレス検索部６１Ｃで決定されたＬＬＩＤを挿入することにより、送信する下りフレームに宛先ＬＬＩＤを付与する。
【００１４】
１０Ｇ−ＥＰＯＮシステムにおいて、１Ｇ−ＯＮＵ宛と１０Ｇ−ＯＮＵ宛の下りフレームが混在した場合も同様に、宛先ＯＮＵのＬＬＩＤを決定することが可能であるが、そのＬＬＩＤがどちらの種類のＯＮＵなのかを別途確認して、該当のレートの下りフレーム出力から送信する必要がある。しかしながら、従来のＧＥ−ＰＯＮ用のＯＬＴ５０にはそのような機能は搭載されていない。
【００１５】
図１６は、従来のＧＥ−ＰＯＮ用のＯＬＴ５０にＬＬＩＤからＯＮＵの種類を確認して該当のレートの下りフレーム出力から送信させるための機能を追加する場合の例として考えられる、フレーム転送処理の要部構成を示すブロック図である。このフレーム転送処理部６０Ａでは、ＭＡＣアドレスの登録・検索を行うＭＡＣアドレス処理部６１に加え、ＭＡＣアドレス処理部６１で下りフレームに挿入されたＬＬＩＤから下り送信速度情報を決定して、その下り送信速度情報を下りフレームに付加する回路として下り送信速度処理部６２を設けている。
【００１６】
図１６において、速度情報登録部６２Ａは、受信した上りフレームのプリアンブルに挿入されている、送信元ＯＮＵのＬＬＩＤに対応する下り送信速度情報を、帯域割当処理部５４から読み出して、当該ＬＬＩＤと下り送信速度情報とを対応付けて、下り送信速度管理テーブル６２Ｂに登録する。
【００１７】
下り送信速度管理テーブル６２Ｂには、各ＯＮＵのＬＬＩＤに対応する下り送信速度情報が登録されている。下り送信速度検索部６２Ｃは、下りフレームの宛先ＬＬＩＤに基づいて下り送信速度管理テーブル６２Ｂから下り送信速度情報を読み出して、送信する下りフレームの下り送信速度情報を決定する。
【００１８】
第２のレイテンシ吸収部６２Ｄは、宛先ＬＬＩＤが付加された下りフレームに遅延を付加して、下り送信速度検索部６２Ｃでの下り送信速度決定処理によるレイテンシを吸収する。
第２の出力合成部６２Ｅは、第２のレイテンシ吸収部６２Ｄから出力された下りフレームに、下り送信速度検索部６２Ｃでの検索により読み出された下り送信速度情報を付与する。
【００１９】
なお、この図１６では、速度情報登録部６２Ａに対して、上りフレームと帯域割当処理部５４から下り送信速度情報が入力されているが、このような登録用の回路は必ずしも必要ではない。ＯＬＴ５０を制御・管理するソフトウェアが、ＬＬＩＤ毎の下り送信速度情報を把握しているので、このソフトウェアにより、下り送信速度管理テーブル６２Ｂに必要な情報を書き込むことが可能である。
【００２０】
例えば、ＧＥ−ＰＯＮ用のＯＮＵと１０Ｇ−ＥＰＯＮ用のＯＮＵの両方との通信が可能なＯＬＴにおいて、ＩＥＥＥ８０２．３ａｖ規格で標準化されたＯＮＵのａｕｔｏ  ｄｉｓｃｏｖｅｒｙにより、接続するＯＮＵがＧＥ−ＰＯＮ用のＯＮＵなのか、それとも、１０Ｇ−ＥＰＯＮ用のＯＮＵなのかをソフトウェアにより認識し、そのＯＮＵに割り当てたＬＬＩＤとその下り送信速度情報（１Ｇもしくは１０Ｇ）とを対応付けて、下り送信速度管理テーブル６２Ｂに登録する。
【先行技術文献】
【特許文献】
【００２１】
【特許文献１】特開２００９−２６０６６８号公報
【非特許文献】
【００２２】
【非特許文献１】「技術基礎講座［GE-PON技術］第１回 PONとは」、ＮＴＴ技術ジャーナル、Vol.17、No.8、pp.71-74、2005．
【発明の概要】
【発明が解決しようとする課題】
【００２３】
しかしながら、上述したフレーム転送処理部６０Ａの構成では、送信速度決定処理を実行するためのハードウェアの追加が必要となる。
また、上述したフレーム転送処理部６０Ａを設けたＯＬＴでは、下り送信速度情報に合わせて下りフレームの出力ポートを複数設ける構成とすることが考えられる。しかし、下りの出力ポートを複数設けたＯＬＴでは、下りフレームの宛先ＭＡＣアドレスがブロードキャストＭＡＣアドレスだった場合、入力フレームのコピーを行って複数の出力ポートから出力することが必要であり、そのためのフレーム転送処理用のハードウエア（回路）の搭載も必要となる。
【００２４】
このため、１０Ｇ−ＥＰＯＮシステムでは、ＯＬＴにおいて、フレーム転送処理用の回路規模が大幅に増大して、装置が大型化するという問題点があった。また、このようなフレーム転送処理用回路の規模増大に起因して、消費電力、さらには装置コストなどが増大するという問題点があった。
【００２５】
また、ＯＬＴにおいて、下り送信速度情報に合わせて下りフレームの出力ポートを複数設ける構成とした場合、ユーザ装置（ＯＮＵを含む）と事業者ネットワークのうち、特定の組み合わせ間でのみ、当該ＯＬＴを介して接続するという運用形態も存在しうる。例えば、ＯＬＴとして使用する装置（ハードウエア）はまったく同じものだが、あるＯＬＴでは、ＧＥ−ＰＯＮ用のＯＮＵと１０Ｇ−ＥＰＯＮ用のＯＮＵの両方を接続するのに対して、別のＯＬＴでは１０Ｇ−ＥＰＯＮ用のＯＮＵだけしか接続しないという運用が想定される。したがって、各出力ポートに対応する回路に対して電源を常時供給した場合、未運用の出力ポートに対応する回路にも電源を常時供給することになるため、運用形態によっては、ＯＬＴの消費電力（の一部）が無駄に消費されるという問題点があった。
【００２６】
本発明はこのような課題を解決するためのものであり、フレーム転送処理用回路規模の大幅増大を抑制しつつ、ブロードキャストフレームおよび異なる下り送信速度のフレームに対応でき、かつ、運用形態に応じて不要な消費電力を削減（省電力化）できるフレーム転送技術を提供することを目的としている。
【課題を解決するための手段】
【００２７】
このような目的を達成するために、本発明にかかるＯＬＴは、光伝送路を介して複数の加入者側装置を接続するとともに、ＳＮＩ（Service Node Interface）を介して上位装置を接続し、これら加入者側装置と上位装置との間でやり取りするフレームを相互に転送処理する光伝送システムにおける局側装置であって、前記光伝送路を介して前記加入者側装置からの上りフレームを受信する受信回路と、予め設定された下り伝送速度で前記加入者側装置への下りフレームを送信する伝送系統ごとに設けられて、当該伝送系統で送信する前記下りフレームを、前記光伝送路を介して当該下り伝送速度で送信する複数の送信回路と、前記ＳＮＩを介して当該上位装置へ前記上りフレームを送信するとともに、当該ＳＮＩを介して当該上位装置からの前記下りフレームを受信する送受信回路と、前記送受信回路で受信した前記下りフレームの宛先ＭＡＣアドレスをキーとして、そのＭＡＣアドレスに対応する前記加入者側装置の識別子情報と前記加入者側装置への下りフレームの出力先の系統を示す転送指示情報とをＭＡＣアドレス検索テーブルから取得して、当該識別子情報を当該下りフレームに付与した後、前記送信回路のうち当該転送指示情報と対応する下り伝送系統の送信回路へ転送するフレーム転送処理部と、外部からの設定信号に応じて、前記下り伝送系統のうち、使用状態となる下り伝送系統に対応する各回路へ電源を供給し、未使用状態となる下り伝送系統に対応する各回路への電源供給を遮断する電源制御部とを備え、前記フレーム転送処理部は、前記ＭＡＣアドレス検索テーブルと、前記上位装置からの下りフレームの宛先ＭＡＣアドレスをキーとして、そのＭＡＣアドレスに対応する識別子情報と転送指示情報とを前記ＭＡＣアドレス検索テーブルから読み出すＭＡＣアドレス検索部と、前記ＭＡＣアドレス検索部によって読み出された識別子情報と転送指示情報とを前記上位装置からの下りフレームに書き込む情報書込部と、前記下り伝送系統ごとに設けられて、当該下り伝送系統に対応する前記送信回路への下りフレームを一時的に保持する複数のバッファと、前記情報書込部によって前記下りフレームに書き込まれた前記転送指示情報に従ってその転送指示情報が示す系統の前記バッファへ当該下りフレームを書き込むバッファ書き込み制御部と、前記下り伝送系統ごとに設けられて、当該下り伝送系統に対応する前記バッファから前記下りフレームを読み出す複数のバッファ読み出し制御部と、前記下り伝送系統ごとに設けられて、当該下り伝送系統に対応する前記バッファ読み出し制御部により読み出された前記下りフレームに付与されている前記識別子情報を確認し、当該識別子情報の書き換えが必要な場合に、当該識別子情報を所定の識別子情報に書き換える複数の識別子情報変換部とを有し、前記フレーム転送処理部は、前記下り伝送系統ごとに設けられた前記バッファとして、前記下りフレームに割り当てられる優先度ごとに複数のバッファを有し、前記電源制御部は、前記設定信号に応じて、前記下り伝送系統のうち、使用状態となる下り伝送系統に対応するすべての優先度の前記バッファ、前記バッファ読み出し制御部、および前記識別子情報変換部のすべてに電源を供給し、未使用状態となる下り伝��系統に対応するすべての優先度の前記バッファ、前記バッファ読み出し制御部、および前記識別子情報変換部のうちの一部またはすべてへの電源供給を遮断するようにしたものである。
また、本発明にかかる他のＯＬＴは、光伝送路を介して複数の加入者側装置を接続するとともに、ＳＮＩ（Service Node Interface）を介して上位装置を接続し、これら加入者側装置と上位装置との間でやり取りするフレームを相互に転送処理する光伝送システムにおける局側装置であって、前記光伝送路を介して前記加入者側装置からの上りフレームを受信する受信回路と、予め設定された下り伝送速度で前記加入者側装置への下りフレームを送信する伝送系統ごとに設けられて、当該伝送系統で送信する前記下りフレームを、前記光伝送路を介して当該下り伝送速度で送信する複数の送信回路と、前記ＳＮＩを介して当該上位装置へ前記上りフレームを送信するとともに、当該ＳＮＩを介して当該上位装置からの前記下りフレームを受信する送受信回路と、前記送受信回路で受信した前記下りフレームの宛先ＭＡＣアドレスをキーとして、そのＭＡＣアドレスに対応する前記加入者側装置の識別子情報と前記加入者側装置への下りフレームの出力先の系統を示す転送指示情報とをＭＡＣアドレス検索テーブルから取得して、当該識別子情報を当該下りフレームに付与した後、前記送信回路のうち当該転送指示情報と対応する下り伝送系統の送信回路へ転送するフレーム転送処理部と、外部からの設定信号に応じて、前記下り伝送系統のうち、使用状態となる下り伝送系統に対応する各回路へ電源を供給し、未使用状態となる下り伝送系統に対応する各回路への電源供給を遮断する電源制御部とを備え、前記フレーム転送処理部は、前記ＭＡＣアドレス検索テーブルと、前記上位装置からの下りフレームの宛先ＭＡＣアドレスをキーとして、そのＭＡＣアドレスに対応する識別子情報と転送指示情報とを前記ＭＡＣアドレス検索テーブルから読み出すＭＡＣアドレス検索部と、前記ＭＡＣアドレス検索部によって読み出された識別子情報と転送指示情報とを前記上位装置からの下りフレームに書き込む情報書込部と、前記下り伝送系統ごとに設けられて、当該下り伝送系統に対応する前記送信回路への下りフレームを一時的に保持する複数のバッファと、前記情報書込部によって前記下りフレームに書き込まれた前記転送指示情報に従ってその転送指示情報が示す系統の前記バッファへ当該下りフレームを書き込むバッファ書き込み制御部と、前記下り伝送系統ごとに設けられて、当該下り伝送系統に対応する前記バッファから前記下りフレームを読み出す複数のバッファ読み出し制御部と、前記下り伝送系統ごとに設けられて、当該下り伝送系統に対応する前記バッファ読み出し制御部により読み出された前記下りフレームに付与されている前記識別子情報を確認し、当該識別子情報の書き換えが必要な場合に、当該識別子情報を所定の識別子情報に書き換える複数の識別子情報変換部とを有し、前記電源制御部は、前記設定信号に応じて、前記下り伝送系統のうち、使用状態となる下り伝送系統に対応する前記バッファ、前記バッファ読み出し制御部、および前記識別子情報変換部のすべてに電源を供給し、未使用状態となる下り伝送系統に対応する前記バッファ、前記バッファ読み出し制御部、および前記識別子情報変換部のうちの一部またはすべてへの電源供給を遮断し、前記バッファ書き込み制御部は、前記情報書込部によって��記下りフレームに書き込まれた前記転送指示情報が複数の下り伝送系統の送信回路への転送を示していた場合、複数の系統のバッファへ当該下りフレームを書き込むようにしたものである。
【００２８】
また、本発明にかかる上記光伝送システムにおける局側装置の一構成例は、前記加入者側装置からの上りフレームに、当該フレームに書き込まれている前記識別子情報に予め対応付けられた下り出力速度情報を書き込む上り入力部をさらに備え、前記フレーム転送処理部は、前記受信回路で受信した上りフレームの送信元ＭＡＣアドレスが前記ＭＡＣアドレス検索テーブルに登録されているか否かを確認し、登録されていない場合、その上りフレームに書き込まれている下り出力速度情報を前記転送指示情報とし、この転送指示情報をそのフレームの送信元ＭＡＣアドレスと識別子情報とに対応付けて、前記ＭＡＣアドレス検索テーブルに登録するＭＡＣアドレス登録部を有するものである。
【００３０】
また、本発明にかかる上記光伝送システムにおける局側装置の一構成例は、前記設定信号が、使用する下り伝送系統を示す伝送系統選択情報と、使用する優先度を示す優先度選択情報とを含み、前記電源制御部は、前記設定信号内の前記伝送系統選択情報と優先度選択情報に基づいて、使用状態となる下り伝送系統のうち、前記すべての優先度のバッファに代えて、使用状態となる優先度のバッファへ電源を供給するとともに、未使用状態となる優先度のバッファへ電源供給を遮断するようにしたものである。
【００３２】
また、本発明にかかるフレーム転送方法は、光伝送路を介して複数の加入者側装置を接続するとともに、ＳＮＩ（Service Node Interface）を介して上位装置を接続し、これら加入者側装置と上位装置との間でやり取りするフレームを相互に転送処理する光伝送システムにおける局側装置で用いられるフレーム転送方法であって、受信回路が、前記光伝送路を介して前記加入者側装置からの上りフレームを受信する受信ステップと、複数の送信回路が、予め設定された下り伝送速度で前記加入者側装置への下りフレームを送信する伝送系統ごとに設けられて、当該伝送系統で送信する前記下りフレームを、前記光伝送路を介して当該下り伝送速度で送信する送信ステップと、送受信回路が、前記ＳＮＩを介して当該上位装置へ前記上りフレームを送信するとともに、当該ＳＮＩを介して当該上位装置からの前記下りフレームを受信する送受信ステップと、フレーム転送処理部が、前記送受信回路で受信した前記下りフレームの宛先ＭＡＣアドレスをキーとして、そのＭＡＣアドレスに対応する前記加入者側装置の識別子情報と前記加入者側装置への下りフレームの出力先の系統を示す転送指示情報とをＭＡＣアドレス検索テーブルから取得して、当該識別子情報を当該下りフレームに付与した後、前記送信回路のうち当該転送指示情報と対応する下り伝送系統の送信回路へ転送するフレーム転送処理ステップと、電源制御部が、外部からの設定信号に応じて、前記下り伝送系統のうち、使用状態となる下り伝送系統に対応する各回路へ電源を供給し、未使用状態となる下り伝送系統に対応する各回路への電源供給を遮断する電源制御ステップとを備え、前記フレーム転送処理部は、前記ＭＡＣアドレス検索テーブルと、前記上位装置からの下りフレームの宛先ＭＡＣアドレスをキーとして、そのＭＡＣアドレスに対応する識別子情報と転送指示情報とを前記ＭＡＣアドレス検索テーブルから読み出すＭＡＣアドレス検索部と、前記ＭＡＣアドレス検索部によって読み出された識別子情報と転送指示情報とを前記上位装置からの下りフレームに書き込む情報書込部と、前記下り伝送系統ごとに設けられて、当該下り伝送系統に対応する前記送信回路への下りフレームを一時的に保持する複数のバッファと、前記情報書込部によって前記下りフレームに書き込まれた前記転送指示情報に従ってその転送指示情報が示す系統の前記バッファへ当該下りフレームを書き込むバッファ書き込み制御部と、前記下り伝送系統ごとに設けられて、当該下り伝送系統に対応する前記バッファから前記下りフレームを読み出す複数のバッファ読み出し制御部と、前記下り伝送系統ごとに設けられて、当該下り伝送系統に対応する前記バッファ読み出し制御部により読み出された前記下りフレームに付与されている前記識別子情報を確認し、当該識別子情報の書き換えが必要な場合に、当該識別子情報を所定の識別子情報に書き換える複数の識別子情報変換部とを有し、前記フレーム転送処理部は、前記下り伝送系統ごとに設けられた前記バッファとして、前記下りフレームに割り当てられる優先度ごとに複数のバッファを有し、前記電源制御ステップは、前記設定信号に応じて、前記下り伝送系統のうち、使用状態となる下り伝送系統に対応するすべての優先度��前記バッファ、前記バッファ読み出し制御部、および前記識別子情報変換部のすべてに電源を供給し、未使用状態となる下り伝送系統に対応するすべての優先度の前記バッファ、前記バッファ読み出し制御部、および前記識別子情報変換部のうちの一部またはすべてへの電源供給を遮断するようにしたものである。
また、本発明にかかる他のフレーム転送方法は、光伝送路を介して複数の加入者側装置を接続するとともに、ＳＮＩ（Service Node Interface）を介して上位装置を接続し、これら加入者側装置と上位装置との間でやり取りするフレームを相互に転送処理する光伝送システムにおける局側装置で用いられるフレーム転送方法であって、受信回路が、前記光伝送路を介して前記加入者側装置からの上りフレームを受信する受信ステップと、複数の送信回路が、予め設定された下り伝送速度で前記加入者側装置への下りフレームを送信する伝送系統ごとに設けられて、当該伝送系統で送信する前記下りフレームを、前記光伝送路を介して当該下り伝送速度で送信する送信ステップと、送受信回路が、前記ＳＮＩを介して当該上位装置へ前記上りフレームを送信するとともに、当該ＳＮＩを介して当該上位装置からの前記下りフレームを受信する送受信ステップと、フレーム転送処理部が、前記送受信回路で受信した前記下りフレームの宛先ＭＡＣアドレスをキーとして、そのＭＡＣアドレスに対応する前記加入者側装置の識別子情報と前記加入者側装置への下りフレームの出力先の系統を示す転送指示情報とをＭＡＣアドレス検索テーブルから取得して、当該識別子情報を当該下りフレームに付与した後、前記送信回路のうち当該転送指示情報と対応する下り伝送系統の送信回路へ転送するフレーム転送処理ステップと、電源制御部が、外部からの設定信号に応じて、前記下り伝送系統のうち、使用状態となる下り伝送系統に対応する各回路へ電源を供給し、未使用状態となる下り伝送系統に対応する各回路への電源供給を遮断する電源制御ステップとを備え、前記フレーム転送処理部は、前記ＭＡＣアドレス検索テーブルと、前記上位装置からの下りフレームの宛先ＭＡＣアドレスをキーとして、そのＭＡＣアドレスに対応する識別子情報と転送指示情報とを前記ＭＡＣアドレス検索テーブルから読み出すＭＡＣアドレス検索部と、前記ＭＡＣアドレス検索部によって読み出された識別子情報と転送指示情報とを前記上位装置からの下りフレームに書き込む情報書込部と、前記下り伝送系統ごとに設けられて、当該下り伝送系統に対応する前記送信回路への下りフレームを一時的に保持する複数のバッファと、前記情報書込部によって前記下りフレームに書き込まれた前記転送指示情報に従ってその転送指示情報が示す系統の前記バッファへ当該下りフレームを書き込むバッファ書き込み制御部と、前記下り伝送系統ごとに設けられて、当該下り伝送系統に対応する前記バッファから前記下りフレームを読み出す複数のバッファ読み出し制御部と、前記下り伝送系統ごとに設けられて、当該下り伝送系統に対応する前記バッファ読み出し制御部により読み出された前記下りフレームに付与されている前記識別子情報を確認し、当該識別子情報の書き換えが必要な場合に、当該識別子情報を所定の識別子情報に書き換える複数の識別子情報変換部とを有し、前記電源制御ステップは、前記設定信号に応じて、前記下り伝送系統のうち、使用状態となる下り伝送系統に対応する前記バッファ、前記バッファ読み出し制御部、および前記識別子情報変換部のすべてに電源を供給し、未使用状態となる下り伝送系統に対応する前記バッファ、前記バッフ��読み出し制御部、および前記識別子情報変換部のうちの一部またはすべてへの電源供給を遮断し、前記バッファ書き込み制御部は、前記情報書込部によって前記下りフレームに書き込まれた前記転送指示情報が複数の下り伝送系統の送信回路への転送を示していた場合、複数の系統のバッファへ当該下りフレームを書き込むようにしたものである。
【発明の効果】
【００３３】
本発明によれば、下りフレームの送信処理をＭＡＣアドレス検索テーブルへのアクセスだけで処理することが可能となり、またブロードキャストＭＡＣアドレスだった場合等、全ての下り伝送系統のバッファへ下りフレームのコピーを行って、そのコピーした下りフレームを全ての下り伝送系統から出力することができる。したがって、ブロードキャストフレームを転送処理する機能を搭載した場合であっても、フレーム転送処理用回路規模の大幅増大を抑制しつつ、１Ｇ−ＯＮＵ宛と１０Ｇ−ＯＮＵ宛の下りフレームが混在する１０Ｇ−ＥＰＯＮシステムに対応することができるようになる。
【００３４】
これに加えて、異なる下り送信速度ごとに複数の下り伝送系統を備えるとともに、ブロードキャストフレームに対応するため、入力フレームのコピーを行って複数の出力ポートへ出力するための回路などが必要となるなど、ＯＬＴのフレーム転送処理用回路規模が大きくなって、装置が大型化した場合でも、不要なフレーム転送処理用回路への電源供給が遮断されるため、ＯＬＴ全体の消費電力を削減（省電力化）することが可能となる。
【００３５】
また、電源制御部が、回路の電力制御を行う際、使用状態が変更された下り伝送系統を構成するすべての回路や、出力ポートそのものなど、１つの基板ユニットやモジュールを単位として電力制御するのではなく、これら基板ユニットやモジュール内に実装されている回路の一部である、フレーム転送処理を実行するフレーム転送処理用回路を対象として電力制御を行うため、電力制御時における大幅な電力変動を抑制でき、電力制御に起因して発生する電源ノイズを低減することも可能となる。
【図面の簡単な説明】
【００３６】
【図１】第１の実施の形態にかかるＰＯＮシステムの構成を示すブロック図である。
【図２】ＰＯＮ区間で伝送されるフレームの構成例である。
【図３】第１の実施の形態にかかるＯＬＴの構成例である。
【図４】第１の実施の形態にかかるフレーム転送処理部の構成例を示すブロック図である。
【図５】ＭＡＣアドレス検索テーブルの構成例である。
【図６】下りフレームの宛先ＬＬＩＤと出力先の決定手順を示すフローチャートである。
【図７】下り転送指示部から出力されるフレームの構成例である。
【図８】本発明の第２の実施の形態にかかるＯＬＴの構成を示すブロック図である。
【図９】第２の実施の形態にかかるフレーム転送処理部の構成例を示すブロック図である。
【図１０】上り入力部から出力されるフレームの構成例である。
【図１１】ＭＡＣアドレス検索テーブルへの登録情報の自動設定手順を示すフローチャートである。
【図１２】第３の実施の形態にかかるフレーム転送処理部の構成例を示すブロック図である。
【図１３】下り優先度指示部から出力されるフレームの構成例である。
【図１４】従来のＧＥ−ＰＯＮ用のＯＬＴの要部を示すブロック図である
【図１５】従来のＧＥ−ＰＯＮ用のＯＬＴで用いられるフレーム転送処理部の要部を示すブロック図である。
【図１６】従来のＧＥ−ＰＯＮ用ＯＬＴのフレーム転送処理部に１０Ｇ−ＥＰＯＮ対応の機能を追加する場合を想定したフレーム転送処理の要部構成を示すブロック図である。
【発明を実施するための形態】
【００３７】
次に、本発明の実施の形態について図面を参照して説明する。
［第１の実施の形態］
まず、図１および図２を参照して、本発明の第１の実施の形態にかかるＰＯＮシステムＰＸについて説明する。図１は、第１の実施の形態にかかるＰＯＮシステムの構成を示すブロック図である。図２は、ＰＯＮ区間で伝送されるフレームの構成例を示す図である。
【００３８】
図１に示すように、このＰＯＮシステムＰＸにおいて、ＯＮＵ２Ａ，２Ｂ，２Ｃは、ＵＮＩ（User Network Interface）を介して、それぞれユーザ装置１Ａ，１Ｂ，１Ｃと接続されている。
このＰＯＮシステムＰＸにおいて、ＯＮＵ２Ａの上り速度および下り速度は１Ｇｂｐｓとされ、ＯＮＵ２Ｂの上り速度および下り速度は１０Ｇｂｐｓとされ、ＯＮＵ２Ｃの上り速度は１Ｇｂｐｓ、ＯＮＵ２Ｃの下り速度は１０Ｇｂｐｓとされている。
【００３９】
各ＯＮＵ２Ａ，２Ｂ，２Ｃは、光通信路を介して１つの光スプリッタ３に共通接続されており、さらにこの光スプリッタ３は、分離多重装置４を介して１つのＯＬＴ１０と接続されている。
また、ＯＬＴ１０には、ＳＮＩ（Service Node Interface）側に設けられたＳＮＩポート（図示せず）に、ＳＮＩを介して上位装置５が接続されている。また、上位装置５には、事業者側のネットワーク（サービス網）ＮＷが接続されている。
【００４０】
このＰＯＮシステムＰＸのＰＯＮ区間、すなわちＯＮＵ２Ａ，２Ｂ，２ＣとＯＬＴ１０との区間では、図２に示すような構成のフレームでデータがやり取りされる。
【００４１】
図２において、プリアンブルは、ＥｔｈｅｒｎｅｔのプリアンブルにＬＬＩＤを埋め込んだものである。
ＬＬＩＤ（Logical Link ID）は、各ＯＮＵ２Ａ，２Ｂ，２Ｃと１対１に対応する識別子（ＩＥＥＥ規格で定義された識別子）である。ＯＮＵ登録（ＯＮＵがＯＬＴの配下となる）時にＯＬＴ１０で決定され、ＯＬＴ１０は自分の配下のＯＮＵ２Ａ，２Ｂ，２ＣでＬＬＩＤの重複が起こらないように管理している。
【００４２】
ＶＬＡＮタグは、ＶＬＡＮ情報を含むタグである。タグがついていない場合やタグが複数ついている場合もある。このＶＬＡＮタグは、ＴＰＩＤ、ＴＣＩを含んでいる。
ＴＰＩＤ（Tag Protocol ID）は、ＶＬＡＮタグが続くことを示すＥｔｈｅｒ  Ｔｙｐｅ値である。通常は０ｘ８１００である。
ＴＣＩ（Tag Control Information）は、ＶＬＡＮタグ情報である。このＴＣＩは、ＰＣＰ、ＣＦＩ、ＶＩＤを含んでいる。
【００４３】
ＰＣＰ（Priority Code Point）は、当該フレームの優先度である。
ＣＦＩ（Canonical Format Indicator）は、ＭＡＣヘッダ内のＭＡＣアドレスが標準フォーマットに従っているかどうかを示す値である。
ＶＩＤまたはＶＬＡＮＩＤ（VLAN Identifier）は、フレームが属するＶＬＡＮを指定する値である。
Ｔｙｐｅは、上位プロトコルの種別を示すＥｔｈｅｒ  Ｔｙｐｅ値である。この領域をＬｅｎｇｔｈ値として使用する場合もあるので、合わせてＴｙｐｅ／Ｌｅｎｇｔｈ等と表記する場合もある。
【００４４】
［ＯＬＴ］
次に、図３を参照して、本実施の形態にかかるＯＬＴ１０の構成について説明する。図３は、第１の実施の形態にかかるＯＬＴの構成例である。
【００４５】
本実施の形態にかかるＯＬＴ１０における、従来のＯＬＴとの構成上の違いは、フレーム多重部および送信回路が、伝送速度の異なる２つの下り伝送系統ごとに設けられているとともに、これら異なる下り伝送系統に対応する回路構成がフレーム転送処理部に設けられており、さらに、これら下り伝送系統の使用状況を示す、ＯＬＴ１０外部からの設定信号ＳＥＴに基づいて、使用状態となる下り伝送系統の各回路へ電源を供給し、未使用状態となる下り伝送系統の各回路への電源供給を遮断する電源制御部３０を備えていることである。
【００４６】
なお、本実施の形態において、０系は、伝送速度が１Ｇｂｐｓの伝送系統を示し、１系は、伝送速度が１０Ｇｂｐｓの伝送系統を示すものとする。ここで、使用状態とは「外部からの設定」で使用を設定された状態、未使用状態とは、「外部からの設定」で使用を設定されていない状態を意味する。
【００４７】
図３を参照して、本実施の形態にかかるＯＬＴ１０の各処理部について説明する。
このＯＬＴ１０には、主な機能部として、受信回路１１、フレーム分離部１２、制御フレーム処理部１３、帯域割当処理部１４、フレーム多重部１５Ａ，１５Ｂ、送信回路１６Ａ，１６Ｂ、送受信回路１７、フレーム転送処理部２０、および電源制御部３０が設けられている。
【００４８】
受信回路１１は、ＰＯＮと接続するＰＯＮポート（図示せず）の入力ポートを介してＯＮＵ２Ａ，２Ｂ，２Ｃからの上りフレームを受信するための回路である。
フレーム分離部１２は、受信回路１１より入力されたフレームのうち、ＯＬＴ１０宛てのフレーム（ＰＯＮの制御に用いられる制御フレーム）を、制御フレーム処理部１３へ送信するとともに、その他のフレームをフレーム転送処理部２０へ送信する処理部である。
【００４９】
制御フレーム処理部１３は、各ＯＮＵ２Ａ，２Ｂ，２ＣにＬＬＩＤを自動的に割り当てるための発見処理（Discoveryプロセス）や上り信号（ＯＮＵからＯＬＴ宛ての信号）の調停といったＰＯＮの制御に関する処理を行ったり、各ＯＮＵ２Ａ，２Ｂ，２ＣのＬＬＩＤや各ＯＮＵ２Ａ，２Ｂ，２Ｃとの間の上り／下り送信レート等のＰＯＮ−ＩＦポート情報を帯域割当処理部１４に転送する処理を行う処理部である。
【００５０】
帯域割当処理部１４は、制御フレーム処理部１３からの要求に従い、ＯＮＵ２Ａ，２Ｂ，２Ｃへの帯域（送信開始時刻と送信データ量）割当や、制御フレーム処理部１３から転送されたＰＯＮ−ＩＦポート情報の管理を行う処理部である。
【００５１】
フレーム多重部（０系）１５Ａは、フレーム転送処理部２０からのＯＮＵ（０系）２Ａ，２Ｂ，２Ｃ宛の下りフレームと制御フレーム処理部１３からの制御フレームとを時分割的に多重し、送信回路（０系）１６Ａに対して送信する処理部である。
フレーム多重部（１系）１５Ｂは、フレーム転送処理部２０からのＯＮＵ（１系）２Ａ，２Ｂ，２Ｃ宛の下りフレームと制御フレーム処理部１３からの制御フレームとを時分割的に多重し、送信回路（１系）１６Ｂに対して送信する処理部である。
送信回路（０系）１６Ａおよび送信回路（１系）１６Ｂは、ＰＯＮと接続するＰＯＮポート（図示せず）の出力ポートを介して、それぞれ、ＯＮＵ２Ａ，２Ｂ，２Ｃへの下りフレームを送信するための回路である。
【００５２】
送受信回路１７は、上位装置５を介して、事業者ネットワークＮＷとの間でフレームを送受信する回路部である。
フレーム転送処理部２０は、フレーム分離部１２から受信した上りフレームを送受信回路１７へ転送処理し、送受信回路１７から受信した下りフレームを、当該フレームの宛先ＭＡＣアドレス等に基づいて、フレーム多重部１５Ａ，１５Ｂ（０系または１系）のいずれかへ転送処理を行う処理部である。
【００５３】
電源制御部３０は、下り伝送系統の使用状況を示す外部からの設定に基づいて、各回路のうち、使用状態となる下り伝送系統の各回路へ電源を供給し、未使用状態となる下り伝送系統の各回路への電源供給を遮断する回路部である。
なお、本実施の形態において、一部の回路に対して電源を常時供給（遮断しない）ようにしてもよい。また、複数の回路をまとめた回路群を単位として電源供給を制御するようにしてもよい。
例えば、電源を遮断してもさほど電力が下がらない小さな回路は遮断しないとしてもよい。
【００５４】
［第１の実施の形態の動作］
次に、図４−図７を参照して、本実施の形態にかかるＯＬＴ１０のフレーム転送処理について、フレーム転送処理部２０が有する機能を交えながら説明する。図４は、第１の実施の形態にかかるフレーム転送処理部の構成例を示すブロック図である。図５は、ＭＡＣアドレス検索テーブルの構成例である。図６は、下りフレームの宛先ＬＬＩＤと出力先の決定手順を示すフローチャートである。図７は、下り転送指示部から出力されるフレームの構成例である。
【００５５】
図４に示すように、フレーム転送処理部２０には、主な機能部として、ＭＡＣアドレス検索テーブル２１、下り出力先判定部２２、レイテンシ吸収部２３、ＬＬＩＤ付与部２４、下り転送指示部２５、バッファ書き込み制御部２６、バッファ（０系）２７Ａ、バッファ（１系）２７Ｂ、バッファ読み出し制御部（０系）２８Ａ、バッファ読み出し制御部（１系）２８Ｂ、ＬＬＩＤ変換部（０系）２９Ａ、ＬＬＩＤ変換部（１系）２９Ｂが設けられている。このフレーム転送処理部２０の構成において、下り出力先判定部２２が本発明でいうＭＡＣアドレス検索部に相当し、ＬＬＩＤ付与部２４および下り転送指示部２５が本発明でいう情報書込部に相当し、ＬＬＩＤ変換部２９Ａ、２９Ｂが本発明でいう識別子情報変換部に相当する。
【００５６】
図５に示すように、ＭＡＣアドレス検索テーブル２１には、ＯＮＵ２Ａ，２Ｂ，２Ｃと接続されたユーザ装置１Ａ，１Ｂ，１ＣもしくはＯＮＵ２Ａ，２Ｂ，２ＣのＭＡＣアドレスごとに、下りフレームの出力先の系統を示す転送指示情報、ＬＬＩＤ、および登録データの有効／無効を示す情報が登録情報として設定されている。また、転送指示情報は、下りフレームの出力先の系統の数と同じビット数（この例では、２ビット）のデータとされ、「１０」であれば出力先を０系とすることを示し、「０１」であれば出力先を１系とすることを示し、「１１」であれば出力先を０系と１系の両方とすることを示す。
【００５７】
また、ＭＡＣアドレス検索テーブル２１への登録情報は、ソフトウェアにより設定する。具体的には、ＯＬＴ１０を制御、管理するソフトウェアがＬＬＩＤ毎の下りフレーム送信先ＭＡＣアドレスと転送指示情報を管理して必要な情報をＭＡＣアドレス検索テーブル２１に設定する。例えば、１０Ｇ−ＯＮＵと１Ｇ−ＯＮＵが混在するシステムで、かつ、各ＯＮＵに接続されている端末のＭＡＣアドレスをそのＯＮＵに割り当てられたＬＬＩＤと共に事前にＭＡＣアドレステーブルに登録しておくシステムであれば、１０Ｇ−ＯＮＵ宛てのフレームについては１０Ｇ（８０２．３ａｖ仕様）出力ポートへの転送指示、１Ｇ−ＯＮＵ宛てのフレームについては１Ｇ（８０２．３ａｈ仕様）出力ポートへの転送指示を設定すればよい。
【００５８】
なお、この例の場合、１０Ｇ−ＯＮＵ宛てのフレームとは、１０Ｇ−ＯＮＵに接続されている端末のＭＡＣアドレスを宛先とするフレームであり、ＭＡＣアドレステーブルの該当のＭＡＣアドレスに対応する転送指示情報として１０Ｇ出力ポートへの転送指示を事前に設定しておくという意味である。
【００５９】
下り出力先判定部２２は、受信した下りフレームの宛先ＭＡＣアドレスに基づいて、ＭＡＣアドレス検索テーブル２１からＬＬＩＤと転送指示情報を読み出して、下りフレームの宛先ＬＬＩＤと出力先を決定する。すなわち、受信した下りフレームをどの送信回路１６Ａ，１６Ｂから送信するのか、すなわち速度の異なるどの系統の出力ポートから出力するのかを決定する。この下りフレームの宛先ＬＬＩＤと出力先の決定は次のようにして行われる。
【００６０】
次に、図６を参照して、下りフレームの宛先ＬＬＩＤと出力先の決定手順について説明する。
まず、下り出力先判定部２２は、受信した下りフレームの宛先ＭＡＣアドレスをチェックし（ステップ１００）、宛先ＭＡＣアドレスがブロードキャストＭＡＣアドレスでなければ（ステップ１００：ＮＯ）、ＭＡＣアドレス検索テーブル２１に登録されているか否かをチェックする（ステップ１０１）。
【００６１】
ここで、ＭＡＣアドレス検索テーブル２１に登録されていれば（ステップ１０１：ＹＥＳ）、その宛先ＭＡＣアドレスに対応するＬＬＩＤと転送指示情報をＭＡＣアドレス検索テーブル２１から読み出し、当該ＬＬＩＤを受信した下りフレームのＬＬＩＤとして特定するとともに（ステップ１０２）、当該転送指示情報を受信した下りフレームの転送指示情報として特定し（ステップ１０３）、一連の処理を終了する。
【００６２】
これに対し、宛先ＭＡＣアドレスがブロードキャストＭＡＣアドレスであれば（ステップ１００：ＹＥＳ）、受信した下りフレームのＬＬＩＤをブロードキャストＬＬＩＤ（例えば、１６進数表示でＦＦＦＤ）とするとともに（ステップ１０４）、受信した下りフレームの転送指示情報を「１１」とし（ステップ１０５）、一連の処理を終了する。
【００６３】
また、宛先ＭＡＣアドレスがブロードキャストＭＡＣアドレスでない場合でも（ステップ１００：ＮＯ）、宛先ＭＡＣアドレスがＭＡＣアドレス検索テーブル２１に登録されていなければ（ステップ１０１：ＮＯ）、ブロードキャストＭＡＣアドレスの場合と同様にして、受信した下りフレームのＬＬＩＤをブロードキャストＬＬＩＤとするとともに（ステップ１０４）、受信した下りフレームの転送指示情報を「１１」とし（ステップ１０５）、一連の処理を終了する。この例では、宛先ＭＡＣアドレスがブロードキャストＭＡＣアドレスの場合、下り出力先判定部２２は、ＭＡＣアドレス検索テーブル２１を使用せずに、下り出力先判定部２２内の別回路で、宛先ＬＬＩＤと出力先の決定を行う。
【００６４】
なお、ステップ１０１において、宛先ＭＡＣアドレスがＭＡＣアドレス検索テーブル２１に登録されていない場合、転送指示情報を「００」とし、下りフレームをどのポートにも出力しないようにしてもよい。
【００６５】
また、送信先ＭＡＣアドレスとしてブロードキャストＭＡＣアドレスが付いたフレームが入力された場合の処理をＭＡＣアドレス検索テーブル２１を使用して行うようにしてもよい。その場合、ＭＡＣアドレス検索テーブル２１にブロードキャストＭＡＣアドレス、ブロードキャストＬＬＩＤ（例えば、１６進数表示でＦＦＦＤ）、および転送指示情報として「１１」」を登録しておけばよい。
【００６６】
一方、レイテンシ吸収部２３は、受信した下りフレームに遅延を付加して、下り出力先判定部２２での下り出力先決定処理によるレイテンシを吸収する。ＬＬＩＤ付与部２４は、下り出力先判定部２２で決定されたＬＬＩＤに従って、レイテンシ吸収部２３からの下りフレームに宛先ＬＬＩＤを付与する。
【００６７】
下り転送指示部２５は、下り出力先判定部２２で決定された転送指示情報に従って、ＬＬＩＤ付与部２４からの下りフレームに転送指示情報を付与し、その転送指示情報を付与した下りフレームをバッファ書き込み制御部２６へ転送する。この際、下り転送指示部２５から出力されるフレームは、図７に示すように、プリアンブル部に、ＬＬＩＤ情報と転送指示情報が書き込まれる。
【００６８】
バッファ書き込み制御部２６は、下りフレームに書き込まれている転送指示情報に従って、その転送指示情報が示す系統のバッファ２７Ａ，２７Ｂへ当該下りフレームを書き込む。例えば、転送指示情報が「１０」であれば、バッファ（０系）２７Ａに下りフレームを書き込み、転送指示情報が「０１」であれば、バッファ（１系）２７Ｂに下りフレームを書き込む。また、転送指示情報が「１１」であれば、バッファ（０系）２７Ａおよびバッファ（１系）２７Ｂの両方に下りフレームを書き込む。
【００６９】
バッファ読み出し制御部２８Ａ，２８Ｂは、バッファ書き込み制御部２６からの指示に基づいて、バッファ２７Ａ，２７Ｂから下りフレームを読み出して、ＬＬＩＤ変換部２９Ａ，２９Ｂに転送する。すなわち、バッファ読み出し制御部（０系）２８Ａは、バッファ（０系）２７Ａから下りフレームを読み出して、ＬＬＩＤ変換部（０系）２９Ａに転送する。バッファ読み出し制御部（１系）２８Ｂは、バッファ（１系）２７Ｂから下りフレームを読み出して、ＬＬＩＤ変換部（１系）２９Ｂに転送する。
【００７０】
ＬＬＩＤ変換部２９Ａ，２９Ｂは、入力されたフレームのＬＬＩＤがブロードキャストＬＬＩＤ（例えば、１６進数表示でＦＦＦＤ）だった場合にＬＬＩＤの書き換えを行う。例えば、１Ｇ出力ポート（０系）では１６進数表示でＦＦＦＦ、１０Ｇ出力ポート（１系）では１６進数表示でＦＦＦＥに書き換える。また、転送指示情報の領域を必要に応じてＩＥＥＥ規格のアイドルデータ等に書き換える。
【００７１】
本実施の形態の構成では、下りフレームの送信処理をＭＡＣアドレス検索テーブル２１へのアクセス（検索）だけで処理することができるので、下り側の回路規模の大幅増大を抑制することができる。すなわち、従来の考えられる技術として説明した図１５に示した構成では、下りフレームの宛先ＬＬＩＤを決定した後に送信レートの判断を行うために、ＭＡＣアドレス検索テーブル２１にアクセスする回路以外に、ＬＬＩＤ毎の下り送信速度を管理するテーブルにアクセスする回路が必要であったが、このような回路が不要となり、下り側の回路規模が小さくなる。
【００７２】
また、本実施の形態の構成では、下りフレームの宛先ＭＡＣアドレスがブロードキャストＭＡＣアドレスだった場合等、下りフレームの出力先として全ての下り伝送系統を示す情報を転送指示情報（この例では、「１１」）とすることにより、全ての下り伝送系統のバッファ２７Ａ，２７Ｂへ当該下りフレームを書き込んで、すなわち全ての下り伝送系統のバッファ２７Ａ，２７Ｂへ下りフレームのコピーを行って、そのコピーした下りフレームを全ての下り伝送系統の出力ポートから出力させることが可能である。
【００７３】
本実施の形態の構成において、送信先ＭＡＣアドレスとしてブロードキャストＭＡＣアドレスが付いたフレームが入力された場合の処理をＭＡＣアドレス検索テーブル２１を使用せずに、下り出力先判定部２２内の別回路で決定するようにした場合、そのための回路が必要ではあるが、その回路（Ｈ／Ｗ）の規模は小さいので、本発明の有効性を否定するものではない。
【００７４】
なお、ＭＡＣアドレス検索テーブル２１で複数の系統の転送指示を「１（転送指示有り）」に設定することで、該当の宛先ＭＡＣアドレスが付いた下りフレームが入力された場合にそのフレームのコピーを行って、複数の系統の出力ポートから出力させるようにすることも可能である。
【００７５】
さらに、特定のＩＰアドレス（もしくはＶＬＡＮタグ）が付いた下りフレームが入力された場合に、複数の系統の転送指示を「１（転送指示有り）」に設定するような回路を追加することも可能である。
また、これらブロードキャストフレームに対するフレーム転送処理については、マルチキャストフレームにも、同様にして適用することも可能である。
【００７６】
また、電源制御部３０は、下り伝送系統の使用状況を示す外部からの設定信号ＳＥＴに基づいて、フレーム転送処理部２０内の各回路のうち、使用状態となる下り伝送系統に対応するすべての回路へ電源を供給し、未使用状態となる下り伝送系統に対応する回路の一部またはすべてへの電源供給を遮断する。この際、設定信号ＳＥＴで入力される下り伝送系統の使用状況が、個々の回路に対する使用状況であってもよい。また、フレーム転送処理部２０内の一部の回路に対して電源を常時供給する（遮断しない）ようにしてもよいし、複数の回路をまとめた回路群を単位として電源供給を制御するようにしてもよい。
【００７７】
例えば、ＯＬＴ１０に対して１Ｇ−ＯＮＵを１台も接続していない場合、１Ｇ−ＯＮＵ宛の下りフレームの送信に使用する下り伝送系統、すなわち０系に対応する以下の回路への電源供給を遮断することにより、ＯＬＴ１０の消費電力を削減（省電力化）することができる。
・フレーム転送処理部２０内のバッファ読み出し制御部（０系）２８Ａ
・フレーム転送処理部２０内のＬＬＩＤ変換部（０系）２９Ａ
・フレーム多重部（０系）１５Ａ
・送信回路（０系）１６Ａ
なお、フレーム転送処理部２０内のバッファ（０系）とバッファ（１系）が異なるメモリで構成されている場合等、フレーム転送処理部２０内のバッファ（０系）への電源供給を遮断できる場合も有る。
【００７８】
同様に、ＯＬＴ１０に対して１０Ｇ−ＯＮＵを１台も接続していない場合、１０Ｇ−ＯＮＵ宛の下りフレームを送信するのに使用する、下り伝送系統のうちの０系に対応する以下の回路への電源供給を遮断することにより、ＯＬＴ１０の消費電力を削減（省電力化）することができる。
・フレーム転送処理部２０内のバッファ読み出し制御部（１系）２８Ｂ
・フレーム転送処理部２０内のＬＬＩＤ変換部（１系）２９Ｂ
・フレーム多重部（１系）１５Ｂ
・送信回路（１系）１６Ｂ
なお、フレーム転送処理部２０内のバッファ（０系）とバッファ（１系）が異なるメモリで構成されている場合等、フレーム転送処理部２０内のバッファ（１系）への電源供給を遮断できる場合も有る。
【００７９】
また、電源供給を遮断していた回路への電源供給を、運用中、すなわち他の回路が通常動作を行っている状態で開始する場合は、以下のような手順で電源供給を遮断していた各回路を起動させるための手段をＯＬＴ内に搭載しておけばよい。
手順１：電源供給を遮断している系（０系もしくは１系）のバッファへの書き込みが禁止状態であり、かつ、そのバッファに蓄積されているフレームデータがないことを確認
手順２：フレーム転送処理部内のバッファへの電源供給が遮断されていた場合は、そのバッファへの電源供給を開始
手順３：電源供給を開始したバッファが正常に起動したことを確認（電源供給が遮断されていなかった場合は該当のバッファに異常がないことを確認）
手順４：フレーム転送処理部内のバッファ読み出し制御部（０系もしくは１系）への電源供給を開始
手順５：電源供給を開始したバッファ読み出し制御部が正常に起動したことを確認
手順６：フレーム転送処理部内のＬＬＩＤ変換部（０系もしくは１系）への電源供給を開始
手順７：電源供給を開始したＬＬＩＤ変換部が正常に起動したことを確認
手順８：フレーム多重部（０系もしくは１系）への電源供給を開始
手順９：電源供給を開始したフレーム多重部が正常に起動したことを確認
手順１０：送信回路（０系もしくは１系）への電源供給を開始
手順１１：電源供給を開始した送信回路が正常に起動したことを確認
手順１２：電源供給を開始した系（０系もしくは１系）のバッファへの書き込みを許可
【００８０】
なお、運用中の起動を行う場合、ブロードキャストＭＡＣアドレスが付いたフレームやＭＡＣアドレスが登録されていなかったフレームが電源供給を開始した時点でバッファに蓄積されていると不要なフレームが送信されてしまう可能性が有る。このため、０系もしくは１系のバッファ読み出し制御部２８Ａ，２８Ｂ等の電源供給が遮断されている場合には、電源が遮断されている系のバッファ２７Ａ，２７Ｂには書き込まないようにする手段を、バッファ書き込み制御部２６に搭載することが望ましく、前述した手順１と手順１２はその手段が搭載されている場合の手順である。
【００８１】
［第１の実施の形態の効果］
このように、本実施の形態は、ＭＡＣアドレス検索テーブル２１が、ＯＮＵ２Ａ，２Ｂ，２Ｃと接続されたユーザ装置１Ａ，１Ｂ，１Ｃに個別のＭＡＣアドレスごとに、当該ＯＮＵ２Ａ，２Ｂ，２ＣのＬＬＩＤ（Logical Link ID）および転送指示情報を記憶し、フレーム転送処理部２０が、送受信回路１７で受信した下りフレームの宛先ＭＡＣアドレスと対応するＬＬＩＤおよび転送指示情報をＭＡＣアドレス検索テーブル２１から取得して、当該ＬＬＩＤを当該下りフレームに付与した後、送信回路１６Ａ，１６Ｂのうち当該転送指示情報と対応する下り伝送系統の送信回路へ転送するようにしたものである。
【００８２】
これにより、下りフレームの送信処理をＭＡＣアドレス検索テーブル２１へのアクセスだけで処理することが可能となり、またブロードキャストＭＡＣアドレスだった場合等、全ての下り伝送系統のバッファ２７Ａ，２７Ｂへ下りフレームのコピーを行って、そのコピーした下りフレームを全ての下り伝送系統から出力することができる。したがって、ブロードキャストフレームを転送処理する機能を搭載した場合であっても、回路規模の大幅増大を抑制しつつ、１Ｇ−ＯＮＵ宛と１０Ｇ−ＯＮＵ宛の下りフレームが混在する１０Ｇ−ＥＰＯＮシステムに対応することができるようになる。
【００８３】
また、本実施の形態は、フレーム転送処理部２０が、下り伝送系統ごとに設けられて、当該下り伝送系統に対応する送信回路１６Ａ，１６Ｂへの下りフレームを一時的に保持する複数のバッファ２７Ａ，２７Ｂと、下り伝送系統ごとに設けられて、当該下り伝送系統に対応するバッファ２７Ａ，２７Ｂから下りフレームを読み出す複数のバッファ読み出し制御部２８Ａ，２８Ｂと、下り伝送系統ごとに設けられて、当該下り伝送系統に対応するバッファ読み出し制御部２８Ａ，２８Ｂにより読み出された下りフレームに付与されているＬＬＩＤを確認し、当該ＬＬＩＤがブロードキャストＬＬＩＤからなる場合にのみ、当該ＬＬＩＤを所定のＬＬＩＤに書き換える複数のＬＬＩＤ変換部２９Ａ，２９Ｂとを有し、電源制御部３０が、外部からの設定信号ＳＥＴに応じて、下り伝送系統のうち、使用状態となる下り伝送系統に対応するバッファ２７Ａ，２７Ｂ、バッファ読み出し制御部２８Ａ，２８Ｂ、およびＬＬＩＤ変換部２９Ａ，２９Ｂのすべてに電源を供給し、未使用状態となる下り伝送系統に対応するバッファ２７Ａ，２７Ｂ、バッファ読み出し制御部２８Ａ，２８Ｂ、およびＬＬＩＤ変換部２９Ａ，２９Ｂの一部またはすべてへの電源供給を遮断するようにしたものである。
【００８４】
これにより、例えば、ＯＬＴ１０に対して１Ｇ−ＯＮＵを１台も接続していない場合、１Ｇ−ＯＮＵ宛の下りフレームの送信に使用する下り伝送系統、すなわち０系に対応する、バッファ２７Ａ、バッファ読み出し制御部２８Ａ、およびＬＬＩＤ変換部２９Ａへの電源供給を遮断することができる。また、ＯＬＴ１０に対して１０Ｇ−ＯＮＵを１台も接続していない場合、１０Ｇ−ＯＮＵ宛の下りフレームの送信に使用する下り伝送系統、すなわち１系に対応する、バッファ２７Ｂ、バッファ読み出し制御部２８Ｂ、およびＬＬＩＤ変換部２９Ｂへの電源供給を遮断することができる。
【００８５】
したがって、異なる下り送信速度ごとに複数の下り伝送系統を備えるとともに、ブロードキャストフレームに対応するため、入力フレームのコピーを行って複数の出力ポートへ出力するための回路などが必要となるなど、ＯＬＴ１０のフレーム転送処理用回路の規模が大きくなって、装置が大型化した場合でも、不要なフレーム転送処理用回路への電源供給が遮断されるため、ＯＬＴ１０全体の消費電力を削減（省電力化）することが可能となる。
【００８６】
また、本実施の形態では、電源制御部３０が、回路の電力制御を行う際、使用状態が変更された下り伝送系統を構成するすべての回路や、出力ポートそのものなど、１つの基板ユニットやモジュールを単位として電力制御するのではなく、これら基板ユニットやモジュール内に実装されている回路の一部である、フレーム転送処理を実行するフレーム転送処理用回路を対象として電力制御を行うため、電力制御時における大幅な電力変動を抑制でき、電力制御に起因して発生する電源ノイズを低減することも可能となる。
【００８７】
また、本実施の形態において、電源制御部３０が電源供給を制御するフレーム転送処理用回路は、バッファ２７Ａ，２７Ｂ、バッファ読み出し制御部２８Ａ，２８Ｂ、およびＬＬＩＤ変換部２９Ａ，２９Ｂに限定されるものではない。例えば、フレーム多重部１５Ａ，１５Ｂや送信回路１６Ａ，１６Ｂなど、下り伝送系統に関連するフレーム転送処理部２０以外の回路について、バッファ２７Ａ，２７Ｂ、バッファ読み出し制御部２８Ａ，２８Ｂ、およびＬＬＩＤ変換部２９Ａ，２９Ｂに代えて、あるいはこれら回路と組み合わせて、電源供給を制御するようにしてもよい。
【００８８】
［第２の実施の形態］
次に、図８−図１０を参照して、本発明の第２の実施の形態にかかるＯＬＴ１０について説明する。図８は、本発明の第２の実施の形態にかかるＯＬＴの構成を示すブロック図である。図９は、第２の実施の形態にかかるフレーム転送処理部の構成例を示すブロック図である。図１０は、上り入力部から出力されるフレームのフォーマット例を示す図である。
第１の実施の形態（図３）と比較して、本実施の形態にかかるＯＬＴ１０には、図８に示すように、上り入力部１８が追加されている。また、フレーム転送処理部２０には、図９に示すように、ＭＡＣアドレス登録部２１Ａが追加されている。
【００８９】
本実施の形態において、帯域割当処理部１４は、第１の実施の形態で説明した機能に加え、予め帯域割当処理部１４が割り当てた上りフレームのタイミングに合わせて、予定されている上りフレームのＬＬＩＤに対応した下り出力速度情報を、予め帯域割当処理部１４に登録されているＰＯＮ−ＩＦポート情報から読み出して、上り入力部１８に指示する機能を有している。
【００９０】
例えば、予定されている入力フレームのＬＬＩＤが１Ｇ−ＯＮＵの場合には、下り出力速度情報として“１Ｇ”を指示し、予定されている入力フレームのＬＬＩＤが１０Ｇ−ＯＮＵの場合には、下り出力速度情報として“１０Ｇ”を指示する。なお、予定されている入力フレームのＬＬＩＤが非対称ＯＮＵ（上り速度が１Ｇで下り速度が１０Ｇ）の場合には、“１０Ｇ”を指示する。
【００９１】
上り入力部１８は、帯域割当処理部１４からの指示により、下り出力速度情報を上りフレームのプリアンブル部に挿入する。例えば、帯域割当処理部１４からの指示が“１Ｇ”であれば、上りフレームのプリアンブル部の下り出力速度情報に「０」を挿入し、帯域割当処理部１４からの指示が“１０Ｇ”であれば、上りフレームのプリアンブル部の下り出力速度情報に「１」を挿入する。図１０に示すように、上り入力部１８から出力されるフレームと、ＰＯＮ区間で伝送されるフレーム（図２参照）との違いは、プリアンブル部に下り出力速度情報が挿入されている点である。
【００９２】
［第２の実施の形態の動作］
次に、図１１を参照して、本実施の形態にかかるＯＬＴ１０のフレーム転送処理について、フレーム転送処理部２０が有する機能を交えながら説明する。図１１は、ＭＡＣアドレス検索テーブルへの登録情報の自動設定手順を示すフローチャートである。
本実施の形態では、図９に示すように、フレーム転送処理部２０ＢにＭＡＣアドレス登録部２１Ａが追加されており、このＭＡＣアドレス登録部２１Ａによって、ＭＡＣアドレス検索テーブル２１への登録情報の設定が上りフレーム受信時に自動的に行われる。
【００９３】
図１１において、まず、ＭＡＣアドレス登録部２１Ａは、上りフレームの受信時、この上りフレームの送信元ＭＡＣアドレスがＭＡＣアドレス検索テーブル２１に登録されているか否かをチェックする（ステップ２００）。
ここで、送信元ＭＡＣアドレスがＭＡＣアドレス検索テーブル２１に登録されていなければ（ステップ２００：ＹＥＳ）、ＭＡＣアドレス登録部２１Ａは、ＭＡＣアドレス検索テーブル２１に空きがあるか否かをチェックし（ステップ２０１）、空きがなければ（ステップ２０１：ＮＯ）、そのまま処理を終了する。
【００９４】
一方、空きがあれば（ステップ２０１：ＹＥＳ）、ＭＡＣアドレス登録部２１Ａは、上りフレームに書き込まれている下り出力速度情報を読み取り、下り出力速度情報をチェックする（ステップ２０２）。
ここで、下り出力速度情報が「０」であった場合（ステップ２０２：ＹＥＳ）、ＭＡＣアドレス登録部２１Ａは、送信元ＭＡＣアドレスの転送指示情報を「１０」（０系）とし（ステップ２０３）、下り出力速度情報が「１」であった場合（ステップ２０２：ＮＯ）、ＭＡＣアドレス登録部２１Ａは、送信元ＭＡＣアドレスの転送指示情報を「０１」（１系）とする（ステップ２０４）。
【００９５】
この後、ＭＡＣアドレス登録部２１Ａは、上記転送指示情報と当該上りフレーム中のＬＬＩＤとを、当該上りフレーム中の送信元ＭＡＣアドレスと対応付けて、ＭＡＣアドレス検索テーブル２１に登録情報として書き込む（ステップ２０５）。なお、この場合、登録データの有効／無効の情報は「有効」とする。
【００９６】
一方、上りフレームの送信元ＭＡＣアドレスがＭＡＣアドレス検索テーブル２１に登録されていた場合（ステップ２００：ＮＯ）、ＭＡＣアドレス登録部２１Ａは、その上りフレームの下り出力速度情報が「０」であるか否かをチェックする（ステップ２１０）。
ここで、下り出力速度情報が「０」であった場合（ステップ２１０：ＹＥＳ）、ＭＡＣアドレス登録部２１Ａは、送信元ＭＡＣアドレスの転送指示情報を「１０」（０系）とし（ステップ２１１）、下り出力速度情報が「１」であった場合（ステップ２１０：ＮＯ）、ＭＡＣアドレス登録部２１Ａは、送信元ＭＡＣアドレスの転送指示情報を「０１」（１系）とする（ステップ２１２）。
【００９７】
この後、ＭＡＣアドレス登録部２１Ａは、上記転送指示情報と当該上りフレーム中のＬＬＩＤとにより、ＭＡＣアドレス検索テーブル２１のうち、当該上りフレーム中の送信元ＭＡＣアドレスと対応するＬＬＩＤおよび転送指示情報を更新する（ステップ２１３）。なお、この場合、登録データの有効／無効の情報は「有効」とする。
【００９８】
また、この例では、上りフレームの送信元ＭＡＣアドレスがＭＡＣアドレス検索テーブル２１に登録されていた場合、ＭＡＣアドレス検索テーブル２１中の対応する登録情報を更新するようにしたが、更新しないようにしてもよい。
【００９９】
また、この例では、帯域割当処理部１４からの指示が“１Ｇ”であった場合、上りフレームに下り出力速度情報として「０」を書き込み、帯域割当処理部１４からの指示が“１０Ｇ”であった場合、上りフレームに出力速度情報として「１」を書き込むようにしたが、「０」の代わりに「１０」を下り出力速度情報として書き込むようにし、「１」の代わりに「０１」を下り出力速度情報として書き込むようにしてもよい。このようにすると、下り出力速度情報からの転送指示情報への変換が不要となる。
【０１００】
［第２の実施の形態の効果］
このように、本実施の形態は、ＭＡＣアドレス登録部２１Ａが、上りフレームの宛先ＭＡＣアドレス、ＬＬＩＤ、および下り出力速度情報に基づいて、ＭＡＣアドレス検索テーブル２１に、ＭＡＣアドレス及びＬＬＩＤと転送指示情報を含む登録情報を登録するようにしたものである。これにより、非対称ＯＮＵ（上り速度が１Ｇで下り速度が１０Ｇ）の場合を含めて、ＭＡＣアドレス検索テーブル２１を自動的に登録・更新することが可能となる。
【０１０１】
なお、第２の実施の形態の構成では、第１の実施の形態の構成と比較すると、上りの処理で「速度情報」を登録する上り入力部１８の追加が必要であるが、上り帯域割当を行う帯域割当処理部１４から「速度情報」（Ｇａｔｅフレームと呼ばれる制御フレームの送信速度に対応）をもらうことにより、簡単な回路で上りフレームのプリアンブル部に「速度情報」を挿入することができる。
【０１０２】
また、この第２の実施の形態の構成でも、下りフレームの宛先ＭＡＣアドレスがブロードキャストＭＡＣアドレスだった場合等、入力フレームのコピーを行って全ての系統の出力ポートから出力することが可能な構成となっている。
【０１０３】
なお、ＭＡＣアドレス検索テーブル２１で複数の系統の転送指示を「１（転送指示有り）」に設定することで、該当の宛先ＭＡＣアドレスが付いた下りフレームが入力された場合にそのフレームのコピーを行って、複数の系統の出力ポートから出力させるようにすることも可能である。
【０１０４】
さらに、特定のＩＰアドレス（もしくはＶＬＡＮタグ）が付いた下りフレームが入力された場合に、複数の系統の転送指示を「１（転送指示有り）」に設定するような回路を追加することも可能である。
【０１０５】
また、第1の実施の形態と同様に、電源制御部により、当該ＯＬＴを構成する各回路の使用状況を示す外部からの設定に基づいて、本実施の形態のフレーム転送処理部内の各回路のうち、使用状態の回路へ電源を供給し、未使用状態の回路への電源供給を遮断することができる。フレーム転送処理部内の一部の回路に対して電源を常時供給（遮断しない）ようにしてもよいし、複数の回路をまとめた回路群を単位として電源供給を制御するようにしてもよい。
【０１０６】
［第３の実施の形態］
次に、図１２を参照して、本発明の第３の実施の形態にかかるＯＬＴ１０について説明する。図１２は、第３の実施の形態にかかるフレーム転送処理部の構成例を示すブロック図である。このフレーム転送処理部２０は、図４に示したフレーム転送処理部２０に優先制御機能を追加した構成である。
【０１０７】
第１の実施の形態（図３）と比較して、本実施の形態にかかるフレーム転送処理部２０には、バッファ２７Ａ，２７Ｂのそれぞれについて、優先度に応じた複数のバッファ２７ＡＨ，２７ＡＬ，２７ＢＨ，２７ＢＬが搭載され、下り転送指示部２５とバッファ書き込み制御部２６との間に下り優先度指示部２５Ａが挿入され、また、下り優先度指示部２５Ａの前段に下り優先度判定部２２Ａが追加されている。
【０１０８】
この例では、０系のバッファとして、バッファＨ（０系）２７ＡＨとバッファＬ（０系）２７ＡＬとを設け、１系のバッファとして、バッファＨ（１系）２７ＢＨとバッファＬ（１系）２７ＢＬとを設けており、バッファＨ（０系）２７ＡＨおよびバッファＨ（１系）２７ＢＨを高優先側のバッファとしている。
【０１０９】
このフレーム転送処理部２０Ｃにおいて、下り優先度判定部２２Ａは、入力される下りフレームのＶＬＡＮタグ内のＰＣＰビット、ＶＩＤ、もしくは、ＩＰヘッダ内の優先度を示す情報を参照して入力された下りフレームの優先度を決定する。０系／１系とも２個のバッファ（バッファＨ、バッファＬ）で構成されている場合、例えば、ＶＬＡＮタグ内のＰＣＰビットが０ｘ１〜０ｘ７であれば、高優先とし、ＰＣＰビットが０ｘ０であれば、低優先とする。
【０１１０】
下り優先度指示部２５Ａは、下り優先度判定部２２Ａで判定された優先度に従って、下り転送指示部２５からの下りフレームに優先度情報を付与して、バッファ書き込み制御部２６へフレームを転送する。図１３は、下り優先度指示部から出力されるフレームの構成例である。優先度情報はプリアンブル部に付与する。例えば、高優先の場合は優先度情報として「１」を付与し、低優先の場合は優先度情報として「０」を付与する。
【０１１１】
バッファ書き込み制御部２６は、下り優先度指示部２５Ａからの下りフレームに書き込まれている転送指示情報と優先度情報に従って、その転送指示情報と優先度情報が示す系統のバッファへ下りフレームを書き込む。
【０１１２】
例えば、転送指示情報が「１０」（０系）で優先度情報が「１」であった場合には、高優先側のバッファＨ（０系）２７ＡＨに下りフレームを書き込み、転送指示情報が「０１」（１系）で優先度情報が「１」（高優先）であった場合には、高優先側のバッファＨ（１系）２７ＢＨに下りフレームを書き込む。また、転送指示情報が「１１」（０系／１系）であり、優先度情報が「１」（高優先）であった場合には、高優先側のバッファＨ（０系）２７ＡＨおよびバッファＨ（１系）２７ＢＨ共に下りフレームを書き込む。
【０１１３】
バッファ読み出し制御部２８Ａ，２８Ｂは、バッファ書き込み制御部２６からの指示に基づいてバッファ２７ＡＨ，２７ＡＬ，２７ＢＨ，２７ＢＬからフレームを読み出して、ＬＬＩＤ変換部２９Ａ，２９Ｂに転送する。この場合、バッファ読み出し制御部２８Ａは、高優先側のバッファ２７ＡＨからの読み出しが可能な場合は、高優先側のバッファ２７ＡＨからの読み出しを優先する。また、バッファ読み出し制御部２８Ｂは、高優先側のバッファ２７ＢＨからの読み出しが可能な場合は、高優先側のバッファ２７ＢＨからの読み出しを優先する。これにより、優先度の高い下りフレームが先に読み出されて、出力されるものとなる。
【０１１４】
ＬＬＩＤ変換部２９Ａ，２９Ｂは、入力されたフレームのＬＬＩＤがブロードキャストＬＬＩＤ（例えば、１６進数表示でＦＦＦＤ）だった場合にＬＬＩＤの書き換えを行う。例えば、１Ｇ出力ポート（０系）では１６進数表示でＦＦＦＦ、１０Ｇ出力ポート（１系）では１６進数表示でＦＦＦＥに書き換える。また、優先度と転送指示情報の領域を必要に応じてＩＥＥＥ規格のアイドルデータ等に書き換える。
【０１１５】
なお、上述した第１の実施の形態〜第３の実施の形態では、出力ポートの系統を０系と１系の２系統としたが、転送指示情報のビット数を拡張することにより、３系統以上の場合も同様な構成とすることが可能である。
【０１１６】
また、送信回路１６Ａ、１６Ｂは、ＩＥＥＥ仕様以外のものとすることも可能である。例えば、複数の送信回路１６Ａ、１６Ｂの一部をＩＥＥＥ仕様とし、その他をＩＴＵ−ＴのＧ−ＰＯＮ仕様とすることも可能である。なお、送信回路１６Ａ、１６ＢをＩＥＥＥ仕様以外のものにする場合は、その仕様にあわせてＬＬＩＤ変換部２９Ａ，２９Ｂ等の仕様を変える必要が有る。
【０１１７】
また、本実施の形態は、０系および１系のバッファバッファ２７ＡＨ，２７ＡＬ，２７ＢＨ，２７ＢＬを高優先用バッファと低優先用バッファの２種類としたが、系統毎に３個以上のバッファを搭載し、優先度情報を複数ビットに拡張することにより、３種類以上の優先度に対応することも可能である。
【０１１８】
また、本実施の形態においても、第1の実施の形態と同様に、電源制御部３０が、外部からの設定信号ＳＥＴに応じて、下り伝送系統のうち、使用状態となる下り伝送系統に対応するバッファ２７ＡＨ，２７ＡＬ，２７ＢＨ，２７ＢＬ、バッファ読み出し制御部２８Ａ，２８Ｂ、およびＬＬＩＤ変換部２９Ａ，２９Ｂへ電源を供給し、未使用状態となる下り伝送系統に対応する２７ＡＨ，２７ＡＬ，２７ＢＨ，２７ＢＬ、バッファ読み出し制御部２８Ａ，２８Ｂ、およびＬＬＩＤ変換部２９Ａ，２９Ｂへの電源供給を遮断するものとなる。
【０１１９】
この場合、設定信号ＳＥＴに、使用する下り伝送系統を示す伝送系統選択情報と、使用する優先度を示す優先度選択情報とを含み、電源制御部３０が、この設定信号ＳＥＴにより、下り伝送系統の使用状況だけでなく、優先度の使用状況に応じて、バッファ２７ＡＨ，２７ＡＬ，２７ＢＨ，２７ＢＬへの電源供給を個別に制御するようにしてもよい。
具体的には、バッファＨとバッファＬのいずれか一方を使用しない場合に、バッファＨとバッファＬのいずれか一方への電源供給を個別に遮断すればよい。なお、バッファＨとバッファＬの一方への電源供給を遮断する場合は、バッファ読み出し制御部２８Ａ，２８Ｂにおいて、電源供給を遮断されたバッファＨもしくはバッファＬからの読み出しを行わないようにする。
【０１２０】
バッファＨとバッファＬの一方への電源供給を遮断している状態にあるＯＬＴ１０において、運用中、すなわち他の回路が通常動作を行っている状態で、電源供給を遮断していたバッファＨもしくはバッファＬへの電源供給を開始する場合は、以下のような手順でバッファを起動させるための手段をＯＬＴ内に搭載しておけばよい。
手順１：電源供給を遮断しているバッファ（バッファＨもしくはバッファＬ）への書き込みが禁止状態であり、かつ、そのバッファに蓄積されているフレームデータがないことを確認。
手順２：電源供給が遮断されていたバッファへの電源供給を開始
手順３：電源供給を開始したバッファが正常に起動したことを確認
手順４：電源供給を開始したバッファが接続されているバッファ読み出し制御部で、電源供給を開始したバッファからの読み出しを許可（読み出しが可能な状態に設定）
手順５：電源供給を開始したバッファへの書き込みを許可
【０１２１】
なお、運用中のバッファの起動を行う場合、起動中にフレームデータがバッファに書き込まれると異常なフレームが送信されてしまう可能性が有るため、バッファへの電源供給が遮断されている場合には電源が遮断されているバッファには書き込まないようにする手段をバッファ書き込み制御部２６に搭載することが望ましく、手順１と手順５はその手段が搭載されている場合の手順である。
【０１２２】
［第３の実施の形態の効果］
このように、本実施の形態は、フレーム転送処理部２０が、下り伝送系統ごとに設けられたバッファとして、下りフレームに割り当てられる優先度ごとに複数のバッファ２７ＡＨ，２７ＡＬ，２７ＢＨ，２７ＢＬを有し、電源制御部３０が、設定信号ＳＥＴに応じてバッファ２７ＡＨ，２７ＡＬ，２７ＢＨ，２７ＢＬへの電源供給を制御する際、下り伝送系統のうち、使用状態となる下り伝送系統に対応する各優先度のバッファ２７ＡＨ，２７ＡＬ，２７ＢＨ，２７ＢＬへ電源を供給し、未使用状態となる下り伝送系統に対応する各優先度のバッファ２７ＡＨ，２７ＡＬ，２７ＢＨ，２７ＢＬへの電源供給を遮断するようにしたものである。
これにより、下りフレームを優先制御するＯＬＴにおいても、不要な回路への電源供給を効果的に遮断することができ、ＯＬＴ全体の消費電力を削減（省電力化）することが可能となる。
【０１２３】
また、本実施の形態では、外部からの設定信号ＳＥＴにより、下り伝送系統の使用状況だけでなく、優先度の使用状況に応じて、バッファ２７ＡＨ，２７ＡＬ，２７ＢＨ，２７ＢＬへの電源供給を個別に制御するようにしてもよい。これにより、これらバッファ２７ＡＨ，２７ＡＬ，２７ＢＨ，２７ＢＬへの電源供給を、優先度の使用状況に応じて、より詳細に制御することができ、ＯＬＴ全体の消費電力を効率よく削減（省電力化）することが可能となる。
【０１２４】
［実施の形態の拡張］
以上、実施の形態を参照して本発明を説明したが、本発明は上記実施の形態に限定されるものではない。本発明の構成や詳細には、本発明のスコープ内で当業者が理解しうる様々な変更をすることができる。また、各実施の形態については、矛盾しない範囲で任意に組み合わせて実施することができる。
【０１２５】
例えば、ＬＬＩＤではなく、ＶＬＡＮタグのＶＩＤ等を本発明における識別子情報として扱うシステムを新たに構成することも可能である。そのような場合、下りフレームにＩＥＥＥ規格のＬＬＩＤを付与することは必須ではなく、複数の系統の送信回路から同じ識別子情報（例えばＶＩＤ）が付与された下りフレームを出力しても良い。つまり、複数の送信回路への転送が指示された場合でも識別子情報の変換が不要なケースが有りうる。具体的には、例えば、ＶＩＤ＝０ｘ００１から０ｘ１００を０系送信用、ＶＩＤ＝０ｘ１０１から０ｘ２００を１系送信用、ＶＩＤ＝０ｘ２０１から０ｘ３００を０系／１系両方送信用の識別子情報として予め分類して使い分ける場合、本発明における識別子情報変換部による識別子情報（ＶＩＤ）の変換は不要である。
【０１２６】
また、以上の各実施の形態では、各回路への電源供給を遮断することにより、消費電力を削減する場合を例として説明したが、これに限定されるものではない。例えば、各回路への処理動作用のクロック信号の入力を遮断することにより省電力化を行うようにしてもよく、前述した各実施の形態と同様の作用効果を得ることができる。
【符号の説明】
【０１２７】
１Ａ，１Ｂ，１Ｃ…ユーザ装置、２Ａ，２Ｂ，２Ｃ…ＯＮＵ、３…光スプリッタ、４…分離多重装置、５…上位装置、ＮＷ…事業者ネットワーク、１０…ＯＬＴ、１１…受信回路、１２…フレーム分離部、１３…制御フレーム処理部、１４…帯域割当処理部、１５Ａ，１５Ｂ…フレーム多重部、１６Ａ，１６Ｂ…送信回路、１７…送受信回路、１８…上り入力部、２０…フレーム転送処理部、２１…ＭＡＣアドレス検索テーブル、２１Ａ…ＭＡＣアドレス登録部、２２…下り出力先判定部、２２Ａ…下り優先度判定部、２３…レイテンシ吸収部、２４…ＬＬＩＤ付与部、２５…下り転送指示部、２５Ａ…下り優先度指示部、２６…バッファ書き込み制御部、２７Ａ…バッファ（０系）、２７ＡＨ…バッファＨ（０系）、２７ＡＬ…バッファＬ（０系）、２７Ｂ…バッファ（１系）、２７ＢＨ…バッファＨ（１系）、２７ＢＬ…バッファＬ（１系）、２８Ａ…バッファ読み出し制御部（０系）、２８Ｂ…バッファ読み出し制御部（１系）、２９Ａ…ＬＬＩＤ変換部（０系）、２９Ｂ…ＬＬＩＤ変換部（１系）、３０…電源制御部、ＳＥＴ…設定信号。
【図１】
0005795550.tif 000002
【図２】
0005795550.tif 000003
【図３】
0005795550.tif 000004
【図４】
0005795550.tif 000005
【図５】
0005795550.tif 000006
【図６】
0005795550.tif 000007
【図７】
0005795550.tif 000008
【図８】
0005795550.tif 000009
【図９】
0005795550.tif 000010
【図１０】
0005795550.tif 000011
【図１１】
0005795550.tif 000012
【図１２】
0005795550.tif 000013
【図１３】
0005795550.tif 000014
【図１４】
0005795550.tif 000015
【図１５】
0005795550.tif 000016
【図１６】
0005795550.tif 000017